(57)【特許請求の範囲】
【請求項１】
片面段ボールを折曲によって略箱状に形成されるとともに、側壁面の外側を中芯側としている中箱で、２枚の片面段ボール材を略直交させて各々の略中央部で積重し、その状態から折曲されて形成されているとともに、その積重した部分に逃げ部を形成した中箱と、
紙質材を折曲によって略袋状に形成して上記中箱を収納して被装する外箱と、を有するとともに、
上記中箱の側壁面の中芯方向が全て縦方向であることを特徴とする包装箱。
【請求項２】
片面段ボールを折曲によって略箱状に形成されるとともに、側壁面の外側を中芯側としている中箱で、２枚の片面段ボール材を略直交させて各々の略中央部で積重し、その状態から折曲されて形成されているとともに、その積重した部分に逃げ部を形成した中箱と、
紙質材を折曲によって略袋状に形成して上記中箱を収納して被装する外箱と、を有するとともに、
上記外箱に上記中箱を収納した状態において、上記中箱の中芯形状を外部に露出させる露出領域を上記外箱に形成したことを特徴とする包装箱。
【請求項３】
上記中箱において、２枚の片面段ボールを積重した部分を上記中箱の底面とすることによって、該底面が二重底に形成されていることを特徴とする請求項１又は２に記載の包装箱。
【請求項４】
上記２枚の片面段ボール材を略直交させて各々の略中央部で積重した状態において、上記各々の片面段ボール材の中芯方向が略直交していることを特徴とする請求項３に記載の包装箱。
【請求項５】
上記中箱内に配設されて上記中箱内の間仕切りを行う仕切部材を有するとともに、該仕切部材の使用面側を中芯側として、上記中箱内に上記仕切部材を配設したときに、上記中箱の表面に露出する全ての面が中芯側となっていることを特徴とする請求項１又は２又は３又は４に記載の包装箱。
【請求項６】
上記外箱に形成されている蓋部を、上記外箱の裏側方向に折曲して固定可能とすることによって、上記蓋部側を収納物のディスプレイ時の脚部として機能させるべくなしたことを特徴とする請求項１又は２又は３又は４又は５に記載の包装箱。
【請求項７】
上記外箱に形成されている蓋部を閉じた状態を保持するための保持手段と、該蓋部を裏側方向に折曲して脚部として機能させた際に該蓋部を保持するための保持手段とを有することを特徴とする請求項６に記載の包装箱。
【発明の詳細な説明】
【０００１】
【発明の属する技術分野】
本発明は、包装箱に関するものであり、特に、段ボール製の中箱と段ボール又は紙質板材等でなる外箱とから組立で形成される包装箱に関するものである。
【０００２】
【従来の技術】
従来、特に、食器類やガラス製品などを販売する時に、それらの製品の包装用としては軽量で安価であるため、段ボール材を折曲して形成する組立式の箱が主に使用されている。
【０００３】
この場合に、特に、結婚式の引き出物などの贈答用の化粧箱としてこれらを使用する場合には、カラーリングされた紙材を使用してカラフルな外観、或いは趣のある外観に仕上げて包装箱に形成して使用されている。
【０００４】
【発明が解決しようとする課題】
しかし、そのような化粧箱においては、段ボール材の中芯方向が横方向であるため縦方向の強度が弱いものであった。また外観が平面的でのっぺらであるため、趣のあるものとすることが困難で、また花飾りやリボンなどの装飾を施すと高価でかさばりやすいものとなる虞があった。
【０００５】
そこで、本発明は、元々の段ボール材の特徴である中芯を有しているところを利用して、該中芯を側壁の縦方向のリブとして又は装飾材として機能させることによって、縦方向の強度があり、また高級感があり趣のある包装箱とすることが可能であるとともに、安価でかさばらずにスッキリとした外観を呈した包装箱を提供することを目的とする。
【０００６】
【課題を解決するための手段】
本発明は上記問題点を解決するために創作されたものであって、第１には、片面段ボールを折曲によって略箱状に形成されるとともに、側壁面の外側を中芯側としている中箱で、２枚の片面段ボール材を略直交させて各々の略中央部で積重し、その状態から折曲されて形成されているとともに、その積重した部分に逃げ部を形成した中箱と、紙質材を折曲によって略袋状に形成して上記中箱を収納して被装する外箱と、を有するとともに、上記中箱の側壁面の中芯方向が全て縦方向であることを特徴とする。
【０００７】
この第１の構成の包装箱においては、上記中箱の側壁面の中芯方向が全て縦方向であるため、該中芯を側壁の縦方向のリブとして機能させることができ、縦方向の強度が高いものとすることができる。また、上記中箱が、２枚の片面段ボール材を略直交させて各々の略中央部で積重し、その状態から折曲されて形成されているとともに、その積重した部分に逃げ部を形成しているため、上記片面段ボール材の隅部などが膨らんでしまうのを防止することが可能になる。
【０００８】
また、第２には、片面段ボールを折曲によって略箱状に形成されるとともに、側壁面の外側を中芯側としている中箱で、２枚の片面段ボール材を略直交させて各々の略中央部で積重し、その状態から折曲されて形成されているとともに、その積重した部分に逃げ部を形成した中箱と、紙質材を折曲によって略袋状に形成して上記中箱を収納して被装する外箱と、を有するとともに、上記外箱に上記中箱を収納した状態において、上記中箱の中芯形状を外部に露出させる露出領域を上記外箱に形成したことを特徴とする。
【０００９】
この第２の構成の包装箱においては、片面段ボールを折曲によって略箱状に形成するとともに、側壁面の外側を中芯側としている中箱と、紙質材を折曲によって略袋状に形成して上記中箱を収納して被装する外箱と、を有するとともに、上記外箱に上記中箱を収納した状態において、上記中箱の中芯形状を外部に露出させる開口部を上記外箱に形成している。従って、平面的な外観の上記外箱の開口部から、部分的に直線的で緻密なストライプ模様の上記中芯が露出するため、デザイン的にコントラストがあるとともに高級感があって趣のある包装箱とすることが可能であり、さらに安価でかさばらずにスッキリとした外観を呈した包装箱とすることが可能になる。また、上記中箱が、２枚の片面段ボール材を略直交させて各々の略中央部で積重し、その状態から折曲されて形成されているとともに、その積重した部分に逃げ部を形成しているため、上記片面段ボール材の隅部などが膨らんでしまうのを防止することが可能になる。
【００１０】
また、第３には、、上記第１又は２の構成において、上記中箱において、２枚の片面段ボールを積重した部分を上記中箱の底面とすることによって、該底面が二重底に形成されていることを特徴とする。
【００１１】
この第３の構成の包装箱においては、上記中箱が、２枚の片面段ボール材を略直交させて各々の略中央部で積重し、その状態から折曲されて形成されているとともに、その積重した部分を上記中箱の底面とすることによって、該底面が二重底に形成されているため、上記中箱の剛性を高めることが可能になる。
【００１４】
また、第４には、上記第３の構成において、上記２枚の片面段ボール材を略直交させて各々の略中央部で積重した状態において、上記各々の片面段ボール材の中芯方向が略直交していることを特徴とする。よって、上記各々の片面段ボール材の中芯方向が略直交しているため、上記中箱の剛性をより高めることが可能になる。
【００１５】
また、第５には、上記第１又は２又は３又は４の構成において、上記中箱内に配設されて上記中箱内の間仕切りを行う仕切部材を有するとともに、該仕切部材の使用面側を中芯側として、上記中箱内に上記仕切部材を配設したときに、上記中箱の表面に露出する全ての面が中芯側となっていることを特徴とする。
【００１６】
この第５の構成の包装箱においては、上記中箱内に上記仕切部材を配設したときに、上記中箱の表面に露出する全ての面が中芯側となっているため、デザイン的に統一されてより独特な趣のある中箱とすることができるとともに、割れ物などの収納時において上記中芯が緩衝材として作用し緩衝性を高めることができ、収納物の破損を防止することが可能になる。
【００１７】
また、第６には、上記第１又は２又は３又は４又は５の構成において、上記外箱に形成されている蓋部側を、上記外箱の裏側方向に折曲して固定可能とすることによって、上記蓋部側を収納物のディスプレイ時の脚部として機能させるべくなしたことを特徴とする。
【００１８】
この第６の構成の包装箱においては、上記蓋部側を収納物のディスプレイ時の脚部として機能させることができるため、別途脚部材を設ける必要もなく、容易に収納物のディスプレイを行うことが可能になる。
【００１９】
また、第７には、上記第６の構成において、上記外箱に形成されている蓋部を閉じた状態を保持するための保持手段と、該蓋部を裏側方向に折曲して脚部として機能させた際に該蓋部を保持するための保持手段とを有することを特徴とする。これにより、収納物を収納しておく際には、該蓋部を閉じた状態で保持しておくことができ、また、ディスプレイ時には、該蓋部を脚部とした状態を保持することが可能となる。
【００２０】
【発明の実施の形態】
本発明の実施の形態としての実施例を図面を利用して説明する。本発明に基づく第１実施例の包装箱１は、図１に示されるように、中箱１０と外箱２０を有する箱体である。また、上記中箱１０は、図２に示すように、片面段ボール材が略箱状に折曲されて、各面の外側に表出する部分が中芯側となるようになされている。
【００２１】
また、上記中箱１０は、図３及び図４に示すように、片面段ボール材を打ち抜いて形成した中箱片体１４、及び中箱片体１６から形成されており、図５（イ）、図５（ロ）に示すような断面を呈している。
【００２２】
ここで、上記中箱片体１４は、図３に示すように、中央板部１４ａと、側壁部１４ｃ、１４ｄとを有している。この中央板部１４ａは、略鼓形状、すなわち、略四角形状の両側において略二等辺三角形状に切り欠いた形状を呈している。つまり、両側に逃げ部１４ｂが形成されている。
【００２３】
また、上記側壁部１４ｃは、図３に示すように、該中央板部１４ａの上端から連設された略長方形状の側壁板部１４ｆ−１と、該側壁板部１４ｆ−１の両側から連設された略長方形状のフラップ１４ｅと、該側壁板部１４ｆ−１の上端から連設された小幅板部１４ｇと、該小幅板部１４ｇの上端から連設された側壁板部１４ｆ−２と、該側壁板部１４ｆ−２の両側から連設された略長方形状のフラップ１４ｅと、該側壁板部１４ｆ−２の上端から連設されたフラップ１４ｅとを有している。なお、上記小幅板部１４ｇは、略細長長方形状を呈している。また、側壁板部１４ｆ−１と側壁板部１４ｆ−２とは、略同大同形状であるが、側壁板部１４ｆ−２の長手方向の長さが、側壁板部１４ｆ−１の長手方向の長さよりも若干短くなっている。また、側壁板部１４ｅの上端から連設されたフラップ１４ｅの長手方向の長さは、側壁板部１４ｆ−２よりも若干短く、また、その幅は、小幅板部１４ｇよりも若干大きく形成されている。
【００２４】
また、上記側壁部１４ｄは、図３に示すように、該中央板部１４ａの下端から連設された略長方形状の側壁板部１４ｆ−１と、該側壁板部１４ｆ−１の両側から連設された略長方形状のフラップ１４ｅと、該側壁板部１４ｆ−１の下端から連設された小幅板部１４ｇと、該小幅板部１４ｇの下端から連設された側壁板部１４ｆ−２と、該側壁板部１４ｆ−２の両側から連設された略長方形状のフラップ１４ｅと、該側壁板部１４ｆ−２の下端から連設されたフラップ１４ｅとを有している。なお、上記小幅板部１４ｇは、略細長長方形状を呈している。また、側壁板部１４ｆ−１と側壁板部１４ｆ−２とは、略同大同形状であるが、側壁板部１４ｆ−２の長手方向の長さが、側壁板部１４ｆ−１の長手方向の長さよりも若干短くなっている。また、側壁板部１４ｅの上端から連設されたフラップ１４ｅの長手方向の長さは、側壁板部１４ｆ−２よりも若干短く、また、その幅は、小幅板部１４ｇよりも若干大きく形成されている。
【００２５】
また、中箱片体１６は、図４に示すように、中央板部１６ａと、側壁部１６ｂ、１６ｃを有している。この中央板部１６ａは、略長方形状を呈し、図４における縦方向の長さは、中箱片体１４の図３における横方向の長さと略同一であり、また、該中央板部１６ａの図４における横方向の長さは、中箱片体１４の図３における縦方向の長さと略同一となっている。また、上記側壁部１６ｂは、図４に示すように、該中央板部１６ａの上端から連設された略長方形状の側壁板部１６ｅ−１と、該側壁板部１６ｅ−１の上端から連設された小幅板部１６ｆと、該小幅板部１６ｆの上端から連設された略長方形状の側壁板部１６ｅ−２と、該側壁板部１６ｅ−２の上端から連設された略細長長方形状のフラップ１６ｄを有している。ここで、該側壁板部１６ｅ−１の縦方向、すなわち、短手方向の長さは、側壁板部１６ｅ−２の縦方向、すなわち、短手方向の長さと略同一であり、その長さは、側壁板部１４ｆ−１、１４ｆ−２とも略同一である。また、側壁板部１６ｅ−２の長手方向の長さは、側壁板部１６ｅ−１の長さよりも若干短くなっており、小幅板部１６ｆは、細長の略台形形状を呈している。また、フラップ１６ｄの長手方向の長さは、該側壁板部１６ｅ−２と略同一であり、その幅は、小幅板部１６ｆよりも若干大きくなっている。
【００２６】
また、上記側壁部１６ｃは、図４に示すように、該中央板部１６ａの下端から連設された略長方形状の側壁板部１６ｅ−１と、該側壁板部１６ｅ−１の下端から連設された小幅板部１６ｆと、該小幅板部１６ｆの下端から連設された略長方形状の側壁板部１６ｅ−２と、該側壁板部１６ｅ−２の下端から連設された略細長長方形状のフラップ１６ｄを有している。ここで、該側壁板部１６ｅ−１の縦方向、すなわち、短手方向の長さは、側壁板部１６ｅ−２の縦方向、すなわち、短手方向の長さと略同一であり、その長さは、側壁板部１４ｆ−１、１４ｆ−２とも略同一である。また、側壁板部１６ｅ−２の長手方向の長さは、側壁板部１６ｅ−１の長さよりも若干短くなっており、小幅板部１６ｆは、細長の略台形形状を呈している。また、フラップ１６ｄの長手方向の長さは、該側壁板部１６ｅ−２と略同一であり、その幅は、小幅板部１６ｆよりも若干大きくなっている。
【００２７】
また、図６に示すように、該中箱片体１４と中箱片体１６を略直交させて各々の中央板部１４ａ、１６ａで積重し、その状態から折曲されて形成されている。つまり、２枚の片面段ボール材を略直交させて、各々の略中央部で積重した状態となっている。そのため、積重した部分が上記中箱１０の底面となるため、上記中箱１０が二重底に形成されることとなり、上記中箱１０の剛性を高めることが可能になる。
【００２８】
また、この場合に、上記中箱片体１４と中箱片体１６を略直交させて各々の中央板部で積重した状態において、上記中箱片体１４と中箱片体１６との各々の片面段ボール材の中芯方向が略直交するように、上記中箱片体１４と中箱片体１６との中芯の波目方向を設定する。そのため、上記中箱片体１４と中箱片体１６との片面段ボール材の中芯方向が略直交しているため、上記中箱１０の剛性をより高めることが可能になる。
【００２９】
そして、そのように中箱片体１４と中箱片体１６を略直交させて各々の中央板部１４ａ、１６ａで積重した状態から、図３、図４、及び図５に示す折れ線（一点鎖線）に従って図７〜図９に示すように折曲して、図２に示す上記中箱１０を組み立てて形成する。具体的には、上記中箱片体１４の側壁部１４ｃ、１４ｄを図７に示すように折曲して、それぞれ二重構造の側壁部とするとともに各面の外側に表出する部分が中芯側となるように折曲する。また同様に、上記中箱片体１６の側壁部１６ｂ、１６ｃを図８に示すように折曲して、それぞれ二重構造の側壁部とするとともに各面の外側に表出する部分が中芯側となるように折曲する。
【００３０】
なお、この場合に、上記中箱片体１４と中箱片体１６との各々の片面段ボール材の中芯方向が略直交するように形成されているため、図２に示すように、上記中箱片体１４の側壁部１４ｃ、１４ｄ、及び上記中箱片体１６の側壁部１６ｂ、１６ｃは、全て中芯方向が縦方向となるため、縦方向の強度が高いものとすることができる。
【００３１】
また、上記中箱片体１４と中箱片体１６には、組立時に隣接する面部と一体化を保持すべく任意の位置、形状に、それぞれフラップ１４ｅ、１６ｄが形成されており、図９に示すように、該フラップ１４ｅ、１６ｄを隣接する部位に当接或いは挟み込んで、図２に示す完成状態に上記中箱１０を組み立てる。このように形成された上記中箱１０は、図２に示すように各面の外側に表出する部分が中芯側となっている。
【００３２】
なお、この場合に、上述したように、上記フラップ１４ｅ、１６ｄによって隣接する面部同士の一体化が保持されるため、接着剤などを用いなくとも上記中箱１０の組立形状は好適に保持されている。また、上記中箱片体１４には、図３に示すように、両辺部に略Ｖ字状に逃げ部１４ｂが形成されており、組立時に上記中箱片体１６の隅部などが膨らんでしまうのを防止すべくなされている。
【００３３】
次に、上記外箱２０について説明する。上記外箱２０は、図１０に示すように、両面段ボール材によって背面部２２、一対の側壁部２４、底面部２６、前面部２８、上面部３０、蓋部３２によって、上記中箱１０を収納可能な大きさの略袋状に組立られて形成されており、また上記上面部３０及び連接する上記蓋部３２が回動自在に形成されて、該蓋部３２の回動によって上記外箱２０が開閉される。
【００３４】
また、上記前面部２８と上記蓋部３２には、略円盤状の紙製のボタン２８ａ、３２ａの中心部のみが固着されており、さらに上記ボタン３２ａには紐部材３２ｂの一端が固着されている。このボタン２８ａ、３２ａと紐部材３２ｂは、上記保持手段として機能する。また、一対の上記側壁部２４には、上記蓋部３２側の端部が斜めにカットされて開口部２４ａがそれぞれ形成されており、使用時に該開口部２４ａの上部側が開口して、上記外箱２０の内部側が露出するようになされている。この開口部２４ａが、上記露出領域として機能する。
【００３５】
さらに、必要に応じて上記中箱１０の内部に配設すべく、収納する物品の形状や個数に応じて仕切部材４０が、図１１に示すように、片面段ボール部材によって形成される。この図１１に示す仕切部材４０は、一対の水平板部４２と、該水平板部４２からそれぞれ連設された垂直板部４４と、該垂直板部４４から連設された小幅板部４６とを有している。水平板部４２、垂直板部４４、小幅板部４６は、ともに略長方形状を呈しており、特に、上記小幅板部４６は、細長長方形状を呈している。この仕切部材４０においては、一対の垂直板部４４により二重の隔壁が形成される。この場合に、該仕切部材４０は、好適には使用面側、つまり、露出面側を中芯側として折曲し、上記中箱１０内に上記仕切部材４０を配設したときに、上記中箱１０の表面に露出する全ての面が中芯側となっているように形成するのが好ましい。このように構成すると、上記中箱１０内に上記仕切部材４０を配設したときに、上記中箱１０の表面に露出する全ての面が中芯側となるため、デザイン的に統一されてより独特な趣のある中箱とすることができるとともに、割れ物などの収納時において上記中芯が緩衝材として作用し緩衝性を高めることができ、収納物の破損を防止することが可能になる。
【００３６】
次に、本実施例の使用状態及び効果について説明する。まず、上述したように上記中箱１０と外箱２０を組立て、さらに、上記中箱１０に上記仕切部材４０を配設して、図１２に示す状態とする。そして、その状態で上記中箱１０内へ収納物を収納して、上記外箱２０内へ挿入する。この場合に、上記収納物に上下がある場合には下側となる方から上記外箱２０内へ挿入する。
【００３７】
そして、上記外箱２０の上記蓋部３２を回動させて、上記中箱１０の上部を封止して、上記蓋部３２上部の上記ボタン３２ａに固着された上記紐部材３２ｂを、上記蓋部３２上部のボタン３２ａと上記前面部２８上部のボタン２８ａを交互に巻装する。そのため、上記蓋部３２と上記前面部２８が上記紐部材３２ｂによって接合され、上記外箱２０が閉状態に保持される。また、上記紐部材３２ｂの巻装を解くけば容易に上記蓋部３２を開けることができ、上記外箱２０を開放することができる。
【００３８】
また、この場合に、上述したように上記外箱２０を閉じたときに、上記開口部２４ａの上部側が開口しているため、上記外箱２０の内部が露出するようになされている。そのため、平面的な外観の上記外箱２０の開口部から、部分的に直線的で緻密なストライプ模様の上記中芯が露出するため、デザイン的にコントラストがあるとともに高級感があって趣のある包装箱１とすることが可能となる。さらに、花飾りやリボンなどの装飾を施す場合に比べて、元々の段ボール材の特徴である中芯を有しているところを利用して、該中芯を装飾材として機能させているため、安価でかさばらない形状であるとともにスッキリとした外観を呈した包装箱１とすることが可能になる。
【００３９】
また、上記包装箱１を、収納品を展示するためのディスプレイ用に用いる場合には、図１３に示すように、上記蓋部３２を閉める場合とは逆に裏側方向へ折曲し上記外箱２０の下側から上記紐部材３２ｂを前方に出して、上記ボタン２８ａに巻装する。そのため、上記蓋部３２及び上記上面部３０が上記外箱２０の脚部として機能するため、上記外箱２０が傾斜状態で固定され、好適に収納品を展示するためのディスプレイ用に用いることが可能になる。そのため、上記蓋部３２側を収納物のディスプレイ時の脚部として機能させることができるため、別途脚部材を設ける必要もなく、容易に収納物のディスプレイを行うことが可能になる。また、この場合に、上記蓋部３２を閉める場合と同様に、上記開口部２４ａの上部側が開口しているため、デザイン的にコントラストがあるとともに高級感があって趣のあるディスプレイとすることが可能である。
【００４０】
続いて第２実施例について図１４〜図１６を使用して説明する。第２実施例における包装箱１’は、上記第１実施例の包装箱と略同様の構成であるが、外箱２０の構成が若干異なる。つまり、蓋部３２の端部には、突出片部３４が設けられ、外箱２０の前面部２８には、細長長方形状の開口部３６が設けられ、該突出片部３４が該開口部３６に挿通できるようになっている。これにより、蓋部３２を閉状態とする場合には、図１４に示すように、この突出片部３４をこの開口部３６に挿通して、閉状態を保つようにする。また、該外箱２０の背面部２２の底面部２６側の端部付近には、細長長方形状の開口部３８が設けられ、該突出片部３４が該開口部３８に挿通できるようになっている。これにより、包装箱１’を収納品を展示するためのディスプレイ用に用いる場合には、図１６に示すように、蓋部３２を裏側に折曲し、該突出片部３４を該開口部３８に挿通して使用する。上記突出片部３４と開口部３６、３８は上記保持手段として機能する。なお、中箱１０の構成は上記第１実施例と同様である。
【００４１】
このようにすることにより、ボタンや紐部材を用いる必要がないので、包装箱のリサイクルを容易とすることができる。なお、上記開口部３４、３６の代わりに、切り込みとしてもよい。
【００４２】
なお、本発明は、本実施例の態様のみに限定されるものではなく、多様な態様が可能である。例えば、本実施例では上記外箱２０を閉じる場合にボタン２８ａ、３２ａに紐部材３２ｂを巻装して行ったり、又は、突出片部と開口部による構成としているが、それのみに限定されるものではなく、紐同士を結び付けて固着する構成、面ファスナーなどによって留める構成など任意でよい。
【００４３】
また、上記中箱１０及び上記外箱２０は、特に、結婚式の引き出物などの贈答用の化粧箱としてこれらを使用する場合には、例えば、洋風のゴブレットなどを収納する場合にあっては、ピンクやホワイトなどにカラーリングされた紙材を使用してカラフルな外観に仕上げ、また和風の漆皿などを収納する場合には、黒系統にカラーリングされた紙材を使用して落ち着いた趣のある包装箱に形成して使用するのが好ましい。
【００４４】
また、上記外箱２０に形成した開口部２４ａにおいても、本実施例では上記外箱２０の端部を斜めにカットしたものとしているが、それのみに限定されるものではなく、例えば、円形状や三角形状、或いは文字などを型どった形状などに開口させてもよく、上記中箱１０の上記中芯形状を露出させることができるものであればよい。
【００４５】
【発明の効果】
本発明に基づく請求項１に記載の包装箱によれば、上記中箱の側壁面の中芯方向が全て縦方向であるため、該中芯を側壁の縦方向のリブとして機能させることができ、縦方向の強度が高いものとすることができる。また、上記中箱が、２枚の片面段ボール材を略直交させて各々の略中央部で積重し、その状態から折曲されて形成されているとともに、その積重した部分に逃げ部を形成しているため、上記片面段ボール材の隅部などが膨らんでしまうのを防止することが可能になる。
【００４６】
また、特に、請求項２に記載の包装箱によれば、片面段ボールを折曲によって略箱状に形成するるとともに、側壁面の外側を中芯側としている中箱と、紙質材を折曲によって略袋状に形成して上記中箱を収納して被装する外箱と、を有するとともに、上記外箱に上記中箱を収納した状態において、上記中箱の中芯形状を外部に露出させる露出領域を上記外箱に形成している。従って、平面的な外観の上記外箱の開口部から、部分的に直線的で緻密なストライプ模様の上記中芯が露出するため、デザイン的にコントラストがあるとともに高級感があって趣のある包装箱とすることが可能であり、さらに安価でかさばらずにスッキリとした外観を呈した包装箱とすることが可能になる。また、上記中箱が、２枚の片面段ボール材を略直交させて各々の略中央部で積重し、その状態から折曲されて形成されているとともに、その積重した部分に逃げ部を形成しているため、上記片面段ボール材の隅部などが膨らんでしまうのを防止することが可能になる。
【００４７】
また、特に、請求項３に記載の包装箱によれば、上記中箱が、２枚の片面段ボール材を略直交させて各々の略中央部で積重し、その状態から折曲されて形成されているとともに、その積重した部分を上記中箱の底面とすることによって、該底面が二重底に形成されているため、上記中箱の剛性を高めることが可能になる。
【００４９】
また、特に、請求項４に記載の包装箱によれば、上記各々の片面段ボール材の中芯方向が略直交しているため、上記中箱の剛性をより高めることが可能になる。
【００５０】
また、特に、請求項５に記載の包装箱によれば、上記中箱内に上記仕切部材を配設したときに、上記中箱の表面に露出する全ての面が中芯側となっているため、デザイン的に統一されてより独特な趣のある中箱とすることができるとともに、割れ物などの収納時において上記中芯が緩衝材として作用し緩衝性を高めることができ、収納物の破損を防止することが可能になる。
【００５１】
また、特に、請求項６に記載の包装箱によれば、上記蓋部側を収納物のディスプレイ時の脚部として機能させることができるため、別途脚部材を設ける必要もなく、容易に収納物のディスプレイを行うことが可能になる。
【００５２】
また、特に、請求項７に記載の包装箱によれば、収納物を収納しておく際には、該蓋部を閉じた状態で保持しておくことができ、また、ディスプレイ時には、該蓋部を脚部とした状態を保持することが可能となる。
【図面の簡単な説明】
【図１】本発明の実施例に基づく包装箱を示す斜視図である。
【図２】本発明の実施例に基づく中箱を示す斜視図である。
【図３】一方の中箱片体の形状を示す展開図である。
【図４】他方の中箱片体の形状を示す展開図である。
【図５】（イ）は図３におけるＸ−Ｘ断面図であり、（ロ）は図４におけるＹ−Ｙ断面図である。
【図６】一方の中箱片体と他方の中箱片体を略直交させて略中央部で積重した状態を示す平面図である。
【図７】一方の中箱片体の側壁部の折曲状態を示す説明図ある。
【図８】他方の中箱片体の側壁部の折曲状態を示す説明図ある。
【図９】中箱の組立状態を示す説明図である。
【図１０】本発明の実施例に基づく外箱の外観を示す斜視図である。
【図１１】本発明の実施例に基づく仕切部材を示す斜視図である。
【図１２】中箱に仕切部材を配設した状態を示す斜視図である。
【図１３】包装箱をディスプレイ用に用いた状態を示す斜視図である。
【図１４】本発明の他の実施例に基づく包装箱を示す斜視図である。
【図１５】本発明の他の実施例に基づく外箱の外観を示す斜視図である。
【図１６】本発明の他の実施例に基づく包装箱をディスプレイ用に用いた状態を示す斜視図である。
【符号の説明】
１、１’  包装箱
１０  中箱
１４ｂ  逃げ部
２０  外箱
２４ａ  開口部
２８ａ、３２ａ  ボタン
３２ｂ  紐部材
３２  蓋部
３４  突出片部
３６、３８  開口部
４０  仕切部材
【図１】
0004097846.tif 000002
【図２】
0004097846.tif 000003
【図３】
0004097846.tif 000004
【図４】
0004097846.tif 000005
【図５】
0004097846.tif 000006
【図６】
0004097846.tif 000007
【図７】
0004097846.tif 000008
【図８】
0004097846.tif 000009
【図９】
0004097846.tif 000010
【図１０】
0004097846.tif 000011
【図１１】
0004097846.tif 000012
【図１２】
0004097846.tif 000013
【図１３】
0004097846.tif 000014
【図１４】
0004097846.tif 000015
【図１５】
0004097846.tif 000016
【図１６】
0004097846.tif 000017